(57)【要約】【課題】真円形の絞り孔を形成することができる絞り素子、絞り素子ユニット、および撮像装置を提供することを目的とする。【解決手段】少なくとも所定の光軸方向については光を透過させる、光軸方向に交わる平面状の透明な壁と壁に沿った内部空間とを有する、内部空間に流体を収容する流体収容器と、流体収容器の内部空間内に収容された、壁に沿って環状に偏って存在する不透明な磁性流体と、磁性流体と共に流体収容器の内部空間内に収容された、磁性流体とは不混和な、壁上で磁性流体と環状の境界を生じる透明な非磁性流体と、境界の環の大きさを変える磁場を自力あるいは他力で発生させる磁場発生器とを備えた。【選択図】        図３
2006235548.tif 000002
【特許請求の範囲】
【請求項１】
少なくとも所定の光軸方向については光を透過させる、該光軸方向に交わる平面状の透明な壁と該壁に沿った内部空間とを有する、該内部空間に流体を収容する流体収容器と、
前記流体収容器の内部空間内に収容された、前記壁に沿って環状に偏って存在する不透明な磁性流体と、
前記磁性流体と共に前記流体収容器の内部空間内に収容された、該磁性流体とは不混和な、前記壁上で該磁性流体と環状の境界を生じる透明な非磁性流体と、
前記境界の環の大きさを変える磁場を自力あるいは他力で発生させる磁場発生器とを備えたことを特徴とする絞り素子。
【請求項２】
前記磁場発生器が、同心円状の複数段の磁場発生部を備えたものであることを特徴とする請求項１記載の絞り素子。
【請求項３】
少なくとも所定の光軸方向については光を透過させる、該光軸方向に交わる平面状の透明な壁と該壁に沿った内部空間とを有する、該内部空間に流体を収容する流体収容器と、
前記流体収容器の内部空間内に収容された、前記壁に沿って環状に偏って存在する不透明な磁性流体と、
前記磁性流体と共に前記流体収容器の内部空間内に収容された、該磁性流体とは不混和な、前記壁上で該磁性流体と環状の境界を生じる透明な非磁性流体と、
前記境界の環の大きさを変える磁場を自力あるいは他力で発生させる磁場発生器と、
前記磁場発生器で発生される磁場を制御して、前記境界の環の大きさを変化させる制御部とを備えたことを特徴とする絞り素子ユニット。
【請求項４】
少なくとも所定の光軸方向については光を透過させる、該光軸方向に交わる平面状の透明な壁と該壁に沿った内部空間とを有する、該内部空間に流体を収容する流体収容器と、
前記流体収容器の内部空間内に収容された、前記壁に沿って環状に偏って存在する不透明な磁性流体と、
前記磁性流体と共に前記流体収容器の内部空間内に収容された、該磁性流体とは不混和な、前記壁上で該磁性流体と環状の境界を生じる透明な非磁性流体と、
前記境界の環の大きさを変える磁場を自力あるいは他力で発生させる磁場発生器と、
前記磁場発生器で発生される磁場を制御して、前記境界の環の大きさを変化させる制御部と、
前記流体収容器を通ってきた被写体光が表面に結像されて、該被写体光を表わす画像信号を生成する撮像器とを備えたことを特徴とする撮像装置。
【発明の詳細な説明】
【技術分野】
【０００１】
本発明は、光の光束を調節する絞り素子、絞り素子ユニット、および被写体光を結像して画像データを取得する撮像装置に関する。
【背景技術】
【０００２】
従来より、被写体を撮影する撮像装置に、撮影場所の明るさなどに応じて被写体光の光量を調節するための絞りやＮＤフィルタ等が備えられている。絞りには、予め孔が空けられた板を孔が光軸上にくるように配置して光束を絞るものや、複数の絞り羽で光軸を取り囲み、その取り囲んだ絞り孔の大きさを変化させることによって、絞り孔を通過する光の光量を制御するものなどがある。それらの中でも、複数の絞り羽を使った絞りは、絞り孔の大きさを複数段階に調整することができ、光量調整の自由度が高いという利点がある。
【０００３】
ところで、複数の絞り羽を使った絞りは、絞りを開放したときの絞り孔の形状が真円になるように設計されているものが多く、絞りを絞るにつれて複数の絞り羽の重なり部分が角張ってしまい、小絞りに設定したときには、絞り孔の形状が多角形に近い形状になってしまう。このような状態で撮影を行うと、例えば、ポートレート撮影などであえてぼかした写真を撮影する場合、ボケが多角形にはっきりと写ってしまって滑らかなぼかしにならなかったり、高輝度の被写体を撮影したときに、多角形の頂点の数に対応した数の光芒が現れてしまう。また、小絞り時における絞り孔の形状を真円に近づけようとすると、かなり多くの絞り羽を使用しなければならず、複雑な構造になってしまうという問題がある。
【０００４】
この点に関し、特許文献１には、絞り羽の形状を工夫することによって、少数の絞り羽のみで開放時と小絞り時のいずれも真円形状の絞り孔を形成するとともに、それ以外の開口時にも、真円に近い形状を形成する絞り装置について記載されている。
【特許文献１】特開２００２−９９０２２号公報
【発明の開示】
【発明が解決しようとする課題】
【０００５】
しかし、特許文献１に記載された絞り装置でも、全ての開口時において真円形の絞り孔を形成することはできず、上述したような不具合を完全には回避することができないという問題がある。
【０００６】
本発明は、上記事情に鑑み、真円形の絞り孔を形成することができる絞り素子、絞り素子ユニット、および撮像装置を提供することを目的とする。
【課題を解決するための手段】
【０００７】
上記目的を達成する本発明の絞り素子は、少なくとも所定の光軸方向については光を透過させる、光軸方向に交わる平面状の透明な壁と壁に沿った内部空間とを有する、内部空間に流体を収容する流体収容器と、
流体収容器の内部空間内に収容された、壁に沿って環状に偏って存在する不透明な磁性流体と、
磁性流体と共に流体収容器の内部空間内に収容された、磁性流体とは不混和な、壁上で磁性流体と環状の境界を生じる透明な非磁性流体と、
境界の環の大きさを変える磁場を自力あるいは他力で発生させる磁場発生器とを備えたことを特徴とする。
【０００８】
本発明の絞り素子によると、磁場発生器によって磁場が印加されると、その磁場によって流体収容器内の磁性流体が引き寄せられ、磁性流体と非磁性流体との境界の環の大きさが変化する。絞り素子に入射された光は、環の内側の透明部分は透過して、透明部分の外側の不透明部分で吸収されるため、本発明の絞り素子によると、円形の絞り孔を形成することができる。
【０００９】
また、本発明の絞り素子において、上記磁場発生器が、同心円状の複数段の磁場発生部を備えたものであることが好ましい。
【００１０】
複数段の磁場発生部を備えることによって、流体収容器に印加される磁場を同心円状に複数段に調整することができ、複数段階の絞り値を実現することができる。
【００１１】
また、上記目的を達成する本発明の絞り素子ユニットは、少なくとも所定の光軸方向については光を透過させる、光軸方向に交わる平面状の透明な壁と壁に沿った内部空間とを有する、内部空間に流体を収容する流体収容器と、
流体収容器の内部空間内に収容された、壁に沿って環状に偏って存在する不透明な磁性流体と、
磁性流体と共に流体収容器の内部空間内に収容された、磁性流体とは不混和な、壁上で磁性流体と環状の境界を生じる透明な非磁性流体と、
境界の環の大きさを変える磁場を自力あるいは他力で発生させる磁場発生器と、
磁場発生器で発生される磁場を制御して、境界の環の大きさを変化させる制御部とを備えたことを特徴とする。
【００１２】
本発明の絞り素子ユニットによると、本発明の絞り素子と同様に、円形の絞り孔を形成することができるとともに、光の光束を精度良く調整することができる。
【００１３】
尚、本発明にいう絞り素子ユニットについては、ここではその基本形態のみを示すのにとどめるが、これは単に重複を避けるためであり、本発明にいう絞り素子ユニットには、上記の基本形態のみではなく、前述した絞り素子の各形態に対応する各種の形態が含まれる。
【００１４】
また、上記目的を達成する本発明の撮像装置は、少なくとも所定の光軸方向については光を透過させる、光軸方向に交わる平面状の透明な壁と壁に沿った内部空間とを有する、内部空間に流体を収容する流体収容器と、
流体収容器の内部空間内に収容された、壁に沿って環状に偏って存在する不透明な磁性流体と、
磁性流体と共に流体収容器の内部空間内に収容された、磁性流体とは不混和な、壁上で磁性流体と環状の境界を生じる透明な非磁性流体と、
境界の環の大きさを変える磁場を自力あるいは他力で発生させる磁場発生器と、
磁場発生器で発生される磁場を制御して、境界の環の大きさを変化させる制御部と、
流体収容器を通ってきた被写体光が表面に結像されて、被写体光を表わす画像信号を生成する撮像器とを備えたことを特徴とする。
【００１５】
本発明にいう撮像器とは、光を受光して受光信号を生成する受光素子が複数配備されたＣＣＤや、ＣＭＯＳセンサなどを指す。
【００１６】
本発明の撮像装置によると、光の光束を円形の絞り孔で調整することができ、光芒を抑えたり、滑らかなぼかしを実現した撮影画像を得ることができる。
【００１７】
尚、本発明にいう撮像装置については、ここではその基本形態のみを示すのにとどめるが、これは単に重複を避けるためであり、本発明にいう撮像装置には、上記の基本形態のみではなく、前述した絞り素子の各形態に対応する各種の形態が含まれる。
【発明の効果】
【００１８】
本発明によれば、真円形の絞り孔を形成することができる絞り素子、絞り素子ユニット、および撮像装置を提供することができる。
【発明を実施するための最良の形態】
【００１９】
以下図面を参照して本発明の実施の形態を説明する。
【００２０】
図１は、本発明の一実施形態が適用されたデジタルカメラを前面斜め上から見た外観斜視図である。
【００２１】
図１に示すように、このデジタルカメラ１００の前面中央部には、撮影レンズ１０１と、回転させることによって、撮影レンズ１０１に内蔵された絞りの絞り値を調整する絞りリング１０５が備えられている。また、このデジタルカメラ１００の前面上部には、光学式ファインダ対物窓１０２および補助光発光部１０３が備えられている。さらに、このデジタルカメラ１００の上面には、スライド式の電源スイッチ１０４およびレリーズスイッチ１５０が備えられている。
【００２２】
図２は、図１に示すデジタルカメラ１００の概略構成図である。
【００２３】
図２に示すように、デジタルカメラ１００の内訳は、撮影光学系１１０と、信号処理部１２０とに分かれる。デジタルカメラ１００には、それらのほかにも、撮影した画像を表示させるための画像表示部１３０、撮影した画像信号を記録しておくための外部記録媒体１４０、撮影のための各種処理をデジタルカメラ１００に行なわせる、ズームスイッチ１７０、撮影モードスイッチ１６０、レリーズスイッチ１５０、および絞り１１３の絞り値を切り替える絞り切替スイッチ１８０が設けられている。
【００２４】
まず撮影光学系１１０の構成を、図２を参照して説明する。
【００２５】
デジタルカメラ１００では、図２の左方から被写体光が入射し、ズームレンズ１１５、およびフォーカスレンズ１１４を経て、被写体光の光量を調整する絞り１１３を通過した後、シャッタ１１２が開いている場合は、後段に配置されたＣＣＤ１１１上に結像する。本来、撮影光学系には複数のレンズが配備され、それら複数のレンズのうち少なくとも１つのレンズがピント調節に大きく関与し、各レンズの相対位置が焦点距離に関与するが、この図２では、焦点距離の変化に係わるレンズをズームレンズ１１５として模式的に示しており、ピントの調節に係わるレンズをフォーカスレンズ１１４として模式的に示している。
【００２６】
ズームレンズ１１５、フォーカスレンズ１１４、絞り１１３、およびシャッタ１１２は、ズームモータ１１５ａ、フォーカスモータ１１４ａ、絞りコントローラ１１３ａ、およびシャッタモータ１１２ａによりそれぞれ駆動され移動する。これらズームモータ１１５ａ、フォーカスモータ１１４ａ、絞りコントローラ１１３ａ、およびシャッタモータ１１２ａを作動させる指示は、信号処理部１２０中のデジタル信号処理部１２０ｂから直接に、あるいはモータドライバ１２０ｃを通じて伝達される。
【００２７】
ズームレンズ１１５は、ズームモータ１１５ａによって光軸に沿う方向に移動される。ズームレンズ１１５が、信号処理部１２０からの信号に応じた位置に移動されることによって、焦点距離が変化して撮影倍率が決定される。
【００２８】
フォーカスレンズ１１４は、ＴＴＬＡＦ（Ｔｈｒｏｕｇｈ  Ｔｈｅ  Ｌｅｎｓ  Ａｕｔｏ  Ｆｏｃｕｓ）機能を実現するためのレンズである。このＴＴＬＡＦ機能とは、光軸に沿う方向にフォーカスレンズを移動させながら、ＣＣＤ１１１で得られた画像信号のコントラストを信号処理部１２０のＡＦ／ＡＥ演算部１２６で検出し、そのコントラストのピークが得られるレンズ位置をピント位置として、フォーカスレンズ１１４をピント位置に調節するものである。このＴＴＬＡＦ機能によって、コントラストがピークになる被写体に自動的に焦点を合わせて撮影を行うことができる。
【００２９】
絞り１１３は、容器内に透明な非磁性流体と、不透明な磁性流体とが収容されて構成されている。撮影者によって図１の絞りリング１０５が回転されると、図２の絞り切替スイッチ１８０では絞りリング１０５の移動位置に応じた絞り値が設定される。絞り値の情報はシステムコントローラ１２１に伝えられ、さらに、システムコントローラ１２１から絞りコントローラ１１３ａに伝えられる。絞りコントローラ１１３ａは、システムコントローラ１２１から伝えられた絞り値に応じて絞り１１３の容器内に収容された磁性流体に磁場を印加し、非磁性流体と磁性流体との境界位置を移動させる。この絞り１１３と絞りコントローラ１１３ａについては、後で詳しく説明する。
【００３０】
ズームレンズ１１５、フォーカスレンズ１１４、絞り１１３、およびシャッタ１１２を通過してきた被写体光はＣＣＤ１１１上で結像され、ＣＣＤ１１１において、被写体像を表わす画像信号が生成される。このＣＣＤ１１１は、本発明にいう撮像器の一例に相当する。
【００３１】
撮像光学系１１０は、以上のように構成されている。
【００３２】
続いて信号処理部１２０の構成を説明する。
【００３３】
ＣＣＤ１１１上に結像させた被写体像が画像信号としてアナログ処理（Ａ／Ｄ）部１２０ａに読み出され、このアナログ処理部（Ａ／Ｄ）１２０ａでアナログ信号がデジタル信号に変換されデジタル信号処理部１２０ｂへと供給される。デジタル信号処理部１２０ｂにはシステムコントローラ１２１が配備されており、そのシステムコントローラ１２１内の動作の手順を示したプログラムにしたがってデジタル信号処理部１２０ｂ内の信号処理が行なわれる。このシステムコントローラ１２１と、画像信号処理部１２２、画像表示制御部１２３、画像圧縮部１２４、メディアコントローラ１２５、ＡＦ／ＡＥ演算部１２６、キーコントローラ１２７、およびバッファメモリ１２８との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、画像表示制御部１２３、画像圧縮部１２４、メディアコントローラ１２５、ＡＦ／ＡＥ演算部１２６、キーコントローラ１２７、角度演算部１２９の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。たとえば、ームスイッチ１７０、撮影モードスイッチ１６０、レリーズスイッチ１５０、および絞り切替スイッチ１８０が操作されると、その操作されたという情報がキーコントローラ１２７を経由してシステムコントローラ１２１に伝えられ、その操作に応じた処理がシステムコントローラ１２１内のプログラムの手順にしたがって行われる。
【００３４】
レリーズ操作が行われると、ＣＣＤ１１１から読み出された画像データは、アナログ処理（Ａ／Ｄ）部１２０ａでアナログ信号からデジタル信号に変換され、このデジタル化された画像データがデジタル信号処理部１２０ｂ内のバッファメモリ１２８にいったん蓄えられる。このデジタル化された画像データのＲＧＢ信号が画像信号処理部１２２でＹＣ信号に変換され、さらに画像圧縮部１２４でＪＰＥＧ圧縮と呼ばれる圧縮が行なわれて画像信号が画像ファイルとなってメディアコントローラ１２５を介して外部記録媒体１４０に記録される。この画像ファイルとして記録された画像データは、画像表示制御部１２３を通じて画像表示部１３０において再生される。この処理の際、ＡＦ／ＡＥ演算部１２６では、ピント調節のためにＲＧＢ信号から被写体距離ごとにコントラストを検出することが行なわれる。この検出結果に基づいて、フォーカスレンズ１１４によってピント調整が行われる。またＡＦ／ＡＥ演算部１２６ではＲＧＢ信号から輝度信号が抽出され、そこから被写界輝度が検出される。
【００３５】
デジタルカメラ１００は、基本的には以上のように構成されている。
【００３６】
以下では、絞りコントローラ１１３ａによる絞り１１３の調整について詳しく説明する。
【００３７】
図３は、絞り１１３の概略構成図である。
【００３８】
図３のパート（Ａ）には、絞り１１３を光軸上から見た図が示されており、図３のパート（Ｂ）には、絞り１１３を光軸に垂直な面で切断したときの断面図が示されている。
【００３９】
まずは絞り１１３について説明する。
【００４０】
絞り１１３は、透明な流体収容器３００に、有色染料が添加された磁性流体２１０と、透明な非磁性流体２２０とが収容されて形成されている。
【００４１】
絞り１１３は、透明な流体収容器３００と、電流の印加を受けて磁場を発生する透明なコイル５００ａ，５００ｂ，５００ｃと、流体収容器３００内に収容された、有色染料が添加された磁性流体２１０と透明な非磁性流体２２０とで形成されている。
【００４２】
流体収容器３００は、円形の薄板形状を有しており、その薄板形状の内部に磁性流体２１０および非磁性流体２２０が収容されている。本実施形態においては、光透過性を有するプラスチック（例えば、ゼオノア：日本ゼオン社製の双環性脂肪族モノマーからなるプラスチックなど）で構成された流体収容器３００が適用されており、流体収容器３００の、薄板形状の側面側の内面は、親水性を有する親水性膜（例えば、ペルヒドロポリシラザンから調整されるＳｉＯ2膜）で覆われており、薄板形状の上底面の中央部分の内面は、疎水性を有する疎水性膜（例えば、サイトップ：旭硝子社製などのフッ素系ポリマー）で覆われている。流体収容器３００は、本発明にいう流体収容器の一例にあたる。
【００４３】
上記のような流体収容器３００に、相互に不混和な磁性流体２１０と、非磁性流体２２０とが収容される。近年、イオン性液体を利用することで、液体状の磁性体が合成できることが報告されており（Ｃｈｅｍｉｓｔｒｙ  Ｌｅｔｔｅｒｓ，第１５９０頁、２００４年発行）、本実施形態では、このようなイオン性液体を利用した水性の磁性流体２１０（例えば、塩化鉄酸イミダゾリウムなどのイオン性液体：屈折率１．５０）が用いられ、非磁性流体２２０としては油性の流体（例えば、炭化水素系化合物、さらに好ましくは、炭化水素系芳香族化合物。メシチレン：屈折率１．４９８、オルトキシレン：屈折率１．５０３など）が用いられる。この磁性流体２１０は、本発明にいう磁性流体の一例にあたり、非磁性流体２２０は、本発明にいう非磁性流体の一例に相当する。
【００４４】
磁性流体２１０は、流体収容器３００の、薄板形状の側面側の内面に塗布された疎水性膜と反撥し、非磁性流体２２０は、薄板形状の上底面の中央部分の内面に塗布された親水性膜と反撥する。その結果、図３のパート（Ｂ）に示すように、磁性流体２１０は薄板形状の側面側に偏って環状に存在し、その環内に非磁性流体２２０が存在する。
【００４５】
コイル５００ａ，５００ｂ，５００ｃは、相互に軸径が異なり、流体収容器３００の後側（被写体光の出射側）に、軸を揃えて配置されている。絞りコントローラ１１３ａは、コイル５００ａ，５００ｂ，５００ｃそれぞれに個別に電流を印加することによって、流体収容器３００への磁場の印加位置を環状に複数段階（この例では、３段階）に調整することができる。コイル５００ａ，５００ｂ，５００ｃは、本発明にいう磁場発生器の一例にあたり、絞りコントローラ１１３ａは、本発明にいう制御部の一例に相当する。
【００４６】
以上のような構成を有する絞り１１３に、磁性流体２１０と非磁性流体２２０とが収容された予備タンク４００が備えられている。予備タンク４００は、絞り１１３の流体収容器３００と繋がっており、流体収容器３００との間で磁性流体２１０および非磁性流体２２０が自在に出入する。
【００４７】
絞り１１３の絞り値は、以下のような手順で調整される。
【００４８】
撮影者が、図１の絞りリング１０５を回転させると、図２の絞り切替スイッチ１８０では、絞りリング１０５の移動位置に応じた絞り値が設定される。絞り値の情報は、システムコントローラ１２１を介して絞りコントローラ１１３ａに伝えられる。
【００４９】
例えば、絞り切替スイッチ１８０によって全３段階のうちの１段階目の絞り値が設定されたとすると、絞りコントローラ１１３ａは、外側のコイル５００ａと中央のコイル５００ｂそれぞれに逆方向の電流を印加する。
【００５０】
図４は、印加電流と、発生する磁場との関係を説明する図である。
【００５１】
図３のパート（Ｂ）において、外側のコイル５００ａと、中央のコイル５００ｂそれぞれに逆方向の電流が印加されると、図４のパート（Ａ）に示すように、コイル５００ａ，５００ｂでは、相互に逆方向の磁界が発生する。その結果、外側のコイル５００ａで発生した磁界と、中央のコイル５００ｂで発生した磁界とが重なり合う部分では、それら相互に逆方向の磁界が打ち消しあい、図４のパート（Ｂ）に示すように、外側のコイル５００ａを取り囲む磁界のみが残る。
【００５２】
図４のパート（Ｂ）に示すような磁場が流体収容器３００に印加されると、磁性流体２１０が外側のコイル５００ａを取り囲む磁場に引き付けられ、磁性流体２１０と非磁性流体２２０との境界が環状を保ったまま外側のコイル５００ａの位置まで移動する（図３のパート（Ａ）参照）。絞り１１３に光を入射すると、その光は非磁性流体２２０は透過し、磁性流体２１０では吸収されることによって、光の光束が非磁性流体２２０と磁性流体２１０との境界の環状の大きさに合わせて調整される。このように、撮影者によって指定された絞り値に応じて、非磁性流体２２０と磁性流体２１０との境界の環状の大きさが変更され、絞り１１３の絞り値が調整される。
【００５３】
また、絞り切替スイッチ１８０によって全３段階のうちの２段階目の絞り値が設定されたとすると、絞りコントローラ１１３ａによって、中央のコイル５００ｂと、内側のコイル５００ｃそれぞれに逆方向の電流が印加される。その結果、中央のコイル５００ａを取り囲む磁界のみが残って流体収容器３００に印加される。
【００５４】
図５は、２段階目の絞り値が設定されたときの、磁性流体２１０と非磁性流体２２０との境界を示す図である。
【００５５】
中央のコイル５００ｂと、内側のコイル５００ｃに逆方向の電流が印加されると、中央のコイル５００ａを取り囲む磁界が流体収容器３００に印加され、磁性流体２１０と非磁性流体２２０との境界が環状を保ったまま中央のコイル５００ｂの位置まで移動する。このとき、非磁性流体２２０と磁性流体２１０との境界の環状が、図３のパート（Ａ）に示す境界の環状よりも小さくなっている。この状態では、図３のパート（Ａ）に示す状態よりも、絞り１１３によって多くの光量が減衰される。
【００５６】
このように、本実施形態の絞り１１３によると、簡易な構成で円形の絞りを実現することができる。
【００５７】
ここで、上記では、本発明にいう磁性流体および非磁性流体の一例として、磁性液体および非磁性液体それぞれの実施例が示されているが、本発明にいう磁性流体および非磁性流体は、ゾルなどであってもよい。
【００５８】
また、上記では、本発明にいう磁場発生器の一例として、電流の印加を受けて磁場を発生するコイルが示されているが、本発明にいう磁場発生器は、自力で磁場を発生する永久磁石であってもよい。この場合、磁性流体の移動は、永久磁石自体の移動によって実現される
続いて、本発明を構成する各構成部分において採用可能な種々の形態について付記する。
【００５９】
本発明に用いられる磁性流体とは、いかなるものであってもよいが、好ましくはイオン性液体である。イオン性液体とは、カチオン性化合物とアニオン性化合物とからなるイオン性化合物であり、かつ、液体であるものを意味する。イオン性液体は、通常の溶媒が蒸気圧を応じた揮発性化合物であるのに対し、蒸気圧がない揮発しない液体として、機能性材料の溶媒として応用が期待されているものである。本発明に用いられるイオン性液体としては、いかなるものであってもよいが、好ましくは、カチオン性化合物としてはイミダゾリウム塩化合物、ピリジニウム塩化合物、アンモニウム塩化合物、ホスホニウム塩化合物などが挙げられる。具体的には、１−エチルー３−メチルイミダゾリウム、１−n-ブチルー３−メチルイミダゾリウム、１−エチルー３−エチルイミダゾリウムなどが挙げられる。好ましくは、イミダゾリウム塩化合物である。さらに好ましくは、１−エチルー３−メチルイミダゾリウム塩化合物、１−n-ブチルー３−メチルイミダゾリウム塩化合物である。アニオン性化合物としては、磁性を発現する元素を含有することが好ましく、磁性を発現する元素としては鉄、コバルト、ニッケルが挙げられる。特に好ましくは鉄である。
【００６０】
本発明の磁性流体には必要に応じて染料を添加することができる。用いられる染料としては、いかなるものであってもよいが、例えば、アゾ色素、アントラキノン色素、ペリレン色素、メロシアニン色素、アゾメチン色素、フタロペリレン色素、インジゴ色素、アズレン色素、ジオキサジン色素、ポリチオフェン色素などが挙げられる。
【００６１】
上記実施形態においては、着色された磁性流体は文献（Ｃｈｅｍｉｓｔｒｙ  Ｌｅｔｔｅｒｓ、第１５９０頁、２００４年）記載の方法に従い合成した。
【図面の簡単な説明】
【００６２】
【図１】本発明の一実施形態が適用されたデジタルカメラを前面斜め上から見た外観斜視図である。
【図２】図１に示すデジタルカメラ１００の概略構成図である。
【図３】絞り１１３の概略構成図である。
【図４】印加電流と、発生する磁場との関係を説明する図である。
【図５】２段階目の絞り値が設定されたときの、磁性流体２１０と非磁性流体２２０との境界を示す図である。
【符号の説明】
【００６３】
１００    デジタルカメラ
１５０    レリーズボタン
１０１    撮影レンズ
１０２    光学式ファインダ対物窓
１０３    補助光発光部
１０４    電源スイッチ
１０５    絞りリング
１１０    撮影光学系
１１１    ＣＣＤ
１１２    シャッタ
１１２ａ    シャッタモータ
１１３    絞り
１１３ａ    絞りコントローラ
１１４    フォーカスレンズ
１１４ａ    フォーカスモータ
１１５    ズームレンズ
１１５ａ    ズームモータ
１２０    信号処理部
１２０ａ    アナログ処理（Ａ／Ｄ）部
１２０ｂ    デジタル信号処理部
１２０ｃ    モ−タドライバ
１２１    システムコントローラ
１２２    画像信号処理部
１２３    画像表示制御部
１２４    画像圧縮部
１２５    メディアコントローラ
１２６    ＡＦ／ＡＥ演算部
１２７    キーコントローラ
１２８    バッファメモリ
１２９    内部メモリ
１２００    バス
１３０    画像表示部
１４０    外部記録媒体
１５０    レリーズスイッチ
１６０    撮影モードスイッチ
１７０    ズームスイッチ
１８０    絞り切替えスイッチ
２１０    磁性流体
２２０    非磁性流体
３００    流体収容器
５００ａ，５００ｂ，５００ｃ    コイル
【図１】
2006235548.tif 000003
【図２】
2006235548.tif 000004
【図３】
2006235548.tif 000005
【図４】
2006235548.tif 000006
【図５】
2006235548.tif 000007